(57)【特許請求の範囲】
【請求項１】
原稿の画像を読み取って画像信号を出力する画像読取手段と、前記画像信号を入力して原紙に穿孔製版して給版する製版手段と、製版手段によって給版された孔版マスタが外周面に装着される版胴と、使用済みの孔版マスタを排版する排版手段とを有する孔版印刷装置において、前記版胴から排版手段に使用済みの孔版マスタを変移する変移手段を設け、この変移手段は、排版の際に前記版胴から半径方向に離間した位置から版胴に接近した位置に移動されて孔版マスタを剥離し、この剥離後に回転する版胴が回転方向所定位置に移動されると該版胴の回転方向とは反対方向に移動して排版手段へ孔版マスタを排版することを特徴とする孔版印刷装置。
【請求項２】
製版手段による給版動作と、排版手段による排版動作とが並行して行われることを特徴とする請求項１に記載の孔版印刷装置。
【発明の詳細な説明】
【０００１】
【産業上の利用分野】
この発明は、孔版印刷装置に関する。
【０００２】
【従来の技術】
従来孔版印刷装置として、製版、印刷、排版を自動的に行う全自動タイプのものが使用され、この種の孔版印刷装置は、図７に示すようなものであり、これを参照して説明することとする。この孔版印刷装置は、原稿の画像を読み取って画像信号を出力する画像読取手段１と、前記画像信号を入力して原紙２に穿孔製版して給版する製版手段３と、製版手段３によって給版された孔版マスタ４が外周面に装着される版胴６と、使用済みの孔版マスタ４を排版する排版手段７とを有している。なお８は給紙手段、９は押圧部材、11は排紙手段をそれぞれ示し、各手段における各部材は周知に属するものであるから、その詳細についての説明は省略する。
【０００３】
このような孔版印刷装置によっては、印刷を行うに際しては、作業者が画像読取手段１に原稿をセットして、図示しない製版スタートキーをオンすると、版胴６が回転してその前に行われた印刷に用いられて、版胴６に装着されたままとなっている使用済みの孔版マスタ４を、排版手段７の一対の剥離ローラ12によって版胴６の表面から剥離し、搬送部材14によって排版ボックス16に排出し、版胴６はつぎの孔版マスタ４の給版位置まで回転して停止し、マスタクランパ17を開いた状態にして次の給版動作が開始されるまで待機する。そしてセットされたつぎの原稿について製版手段３で製版して、えられた孔版マスタ４を給版して、マスタクランパ17を閉じて版胴６に装着していた。このようにして作業者が製版スタートキーをオンした後、１枚目の印刷物が排紙されるまでのファーストプリントタイムと呼ばれる時間には、製版時間にこれとは別に排版時間が加えられて、ファーストプリントタイムが長くなるという問題があった。
【０００４】
そこでこのような問題を解消して、ファーストプリントタイムを短くしようということで、印刷終了後に予め排版動作を行って、このような状態でつぎの製版スタートキーをオンするまで、版胴６を前記と同様にして給版位置に待機させることが考えられる。ところでこれは、前記の問題を解消することができるが、その反面版胴６に装着した孔版マスタ４による印刷が終了したか否かは、作業者自身の判断によって決定しなければならなくて、作業者に余計な負担をかけるという問題があり、また多くの原稿について連続して印刷を行う場合には有効とはいえず、さらに版胴６から孔版マスタ４を剥離したままで長時間放置すると、孔版マスタ４を装着したままのときに比べて、インキ成分の蒸発が極端に増加して、つぎの印刷の際の立上りが悪化するという問題がある。
【０００５】
【発明が解決しようとする課題】
このような問題を解消するために、特開昭61-261088号公報、特開昭61-287781号公報に開示されているようなものが提案されている。そしてこれらのものは、画像読取手段と、製版手段と、版胴と、排版手段とに加えて、製版手段と版胴との間に配置された孔版マスタを一時貯留する貯留手段とを有している。しかしながらこれらは、孔版マスタが給版されるのは、使用済み孔版マスタの排版動作が完全に終了してからであり、特に貯留手段内に他の原稿が貯留されている場合には、排版動作に要する時間が無駄になることもあって、ファーストプリントタイムの短縮を効率よく実現することができないという問題があり、また給版動作、排版動作等が画像読取手段で原稿を読み取っている際に行われるようになっているために、製版手段、版胴、排版手段の作動のためのモータ、ソレノイド、マスタクランパ等の各部材が作動していることによって振動が発生し、この振動が画像読取手段に伝達されて、読取作業に関与している各部材にぶれを生じ、いわゆるジターと呼ばれる不規則なむらが異常画像として現れるという問題がある。
【０００６】
そこでこの発明の目的は、前記のような従来の孔版印刷装置のもつ問題を解消し、給版動作と排版動作とを並行して行ってファーストプリントタイムを短縮することができ、それによって給版手段と排版手段における各部材の機械的作動時間を低減して、各部材の機械的作動にともなって発生し、画像読取手段の読取作業に関与している各部材に伝達される振動を少なくすることができて、ジター等の異常画像の発生を抑制することができる孔版印刷装置を提供するにある。
【０００７】
【課題を解決するための手段】
この発明は前記のような目的を達成するために、請求項１に記載の発明は、原稿の画像を読み取って画像信号を出力する画像読取手段と、前記画像信号を入力して原紙に穿孔製版して給版する製版手段と、製版手段によって給版された孔版マスタが外周面に装着される版胴と、使用済みの孔版マスタを排版する排版手段とを有する孔版印刷装置において、前記版胴から排版手段に使用済みの孔版マスタを変移する変移手段を設け、この変移手段は、排版の際に前記版胴から半径方向に離間した位置から版胴に接近した位置に移動されて孔版マスタを剥離し、この剥離後に回転する版胴が回転方向所定位置に移動されると該版胴の回転方向とは反対方向に移動して排版手段へ孔版マスタを排版することを特徴とするものである。請求項２に記載の発明は、請求項１に記載の発明において、製版手段による給版動作と、排版手段による排版動作とが並行して行われることを特徴とするものである。
【０００８】
【作用】
前記のような請求項１，３の発明において、印刷を行うに際しては、前記従来のものと同様に、作業者が製版スタートキーをオンすると、使用済みの孔版マスタが装着されて初期位置にある版胴が回転し、該孔版マスタの先端が排版位置に到達すると、排版手段によって孔版マスタが版胴の表面から剥離され、この排版作動が途中まで進行したところで、版胴が給版位置に向けて回転するのにタイミングを合わせて製版手段が作動を開始し、製版された孔版マスタの先端を版胴に給版して装着する。このようにして排版作動と給版作動とが並行して行われてこれらが終了すると、従来と同様にして印刷工程が行われる。
【０００９】
前記のような請求項２，３の発明において、印刷を行うに際しては、前記従来のものと同様に、作業者が製版スタートキーをオンすると、使用済みの孔版マスタが装着されて初期位置にある版胴が回転しはじめ、それとほぼ同時に変移手段によって孔版マスタが版胴の表面から剥離され、その後版胴が回転を続けることによって、給版開始位置まで移動すると同時に、変移手段が版胴の回転方向とは反対方向に版胴の円周方向に沿って移動して孔版マスタを版胴の表面から剥離し、変移手段が排版位置に到達して停止すると、孔版マスタを排版手段によって排版し、この排版作動が途中まで進行したところで、版胴が給版位置に向けて回転するのにタイミングを合わせて製版手段が作動を開始し、製版された孔版マスタの先端を版胴に給版して装着する。このようにして排版作動と給版作動とが並行して行われてこれらが終了すると、従来と同様にして印刷工程が行われる。
【００１０】
【実施例】
図１，２に示すこの発明の第１実施例において、前記従来のものと同様の部分は同一の符号を引用してその説明を省略し、主として異なる部分について説明する。
【００１１】
この実施例は、排版手段７を矢印に示す版胴６の回転方向において製版手段３の直前に設けたものである。このようなものにおいて、印刷を行うに際しては、前記従来のものと同様に、作業者が製版スタートキーをオンすると、使用済みの孔版マスタ４が装着されて図１に示す初期位置にある版胴６のマスタクランパ17が開いて版胴６が回転し、該孔版マスタ４の先端が排版位置に到達すると、排版手段７の剥離ローラ12，13によって孔版マスタ４が版胴６の表面から剥離され、搬送部材14によって排版ボックス16に排出される。この排版作動が途中まで進行したところで、版胴６のマスタクランパ17が図２に示す位置となる給版位置に向けて、版胴６が回転するのにタイミングを合わせて製版手段３が作動を開始し、製版された孔版マスタ４の先端をマスタクランパ17に給版して、マスタクランパ17を閉じて孔版マスタ４を版胴６に装着する。このようにして排版作動と給版作動とが並行して行われてこれらが終了すると、従来と同様にして印刷工程が行われる。
【００１２】
図３〜６に示すこの発明の第２実施例において、前記従来のものと同様の部分は同一の符号を引用してその説明を省略し、主として異なる部分について説明する。
【００１３】
この実施例は、版胴６から排版手段７に孔版マスタ４を変移する変移手段18を設け、この変移手段18は１対の副剥離ローラ19を有していて、版胴６の円周方向に沿って移動可能となっているものである。
【００１４】
このようなものにおいて、使用済みの孔版マスタ４が装着されている版胴６が図３に示す初期位置にある場合には、変移手段18は版胴６から半径方向に離間した位置に待機している。そして印刷を行うに際しては、前記従来のものと同様に、作業者が製版スタートキーをオンすると、版胴６のマスタクランパ17が開き、ついで変移手段18が半径方向に移動して、図４に示す版胴６に接近した位置に変位する。そして版胴６が回転を開始しはじめ、それとほぼ同時に変移手段18の副剥離ローラ19によって孔版マスタ４が版胴６の表面から剥離され、剥離長が所定の長さとなると副剥離ローラ19が停止する。
【００１５】
その後版胴６が回転を続けることによって、図５に示すようにマスタクランパ17が給版開始位置まで移動すると同時に、変移手段18が版胴６の回転方向とは反対方向に版胴６の円周方向に沿って移動し、この間孔版マスタ４を版胴６の表面から剥離する。そして変移手段18が図６に示す排版位置に到達して停止すると、副剥離ローラ19が回転を再開して、孔版マスタ４を排版手段７の剥離ローラ12，13に向けて送りだし、孔版マスタ４は剥離ローラ12，13によって排版ボックス16に排出される。この剥離ローラ12，13による排版作動が行われている間にマスタクランパ17が給版開始位置に到達して、排版作動と並行して給版作動が行われながら、版胴６が回転を続けて給版作動と排版作動とが終了する。その後変移手段18は図３に示す初期位置に復帰し、次回の排版作動が行われるまで待機し、このようなことが繰り返えされて一連の印刷工程が行われる。
【００１６】
【発明の効果】
この発明は前記のようであって、請求項１に記載の発明は、原稿の画像を読み取って画像信号を出力する画像読取手段と、前記画像信号を入力して原紙に穿孔製版して給版する製版手段と、製版手段によって給版された孔版マスタが外周面に装着される版胴と、使用済みの孔版マスタを排版する排版手段とを有する孔版印刷装置において、版胴から排版手段に使用済みの孔版マスタを変移する変移手段を設け、この変移手段は、排版の際に前記版胴から半径方向に離間した位置から版胴に接近した位置に移動されて孔版マスタを剥離し、この剥離後に回転する版胴が回転方向所定位置に移動されると該版胴の回転方向とは反対方向に移動して排版手段へ孔版マスタを排版するものであり、請求項２に記載の発明は、請求項１に記載の発明において、製版手段による給版動作と、排版手段による排版動作とが並行して行われるので、ファーストプリントタイムを短縮することができ、それによって給版手段と排版手段における各部材の機械的作動時間を低減して、各部材の機械的作動にともなって発生し、画像読取手段の読取作業に関与している各部材に伝達される振動を少なくすることができて、ジター等の異常画像の発生を抑制することができるという効果がある。
【図面の簡単な説明】
【図１】この発明の第１実施例の概略正面図である。
【図２】同上の印刷時における作動説明図である。
【図３】この発明の第２実施例の概略正面図である。
【図４】同上の印刷時における排版初期における作動説明図である。
【図５】同排版中期における作動説明図である。
【図６】同排版終期における作動説明図である。
【図７】この発明と同種の従来の孔版印刷装置の概略正面図である。
【符号の説明】
１  画像読取手段
２  原紙
３  製版手段
４  孔版マスタ
６  版胴
７  排版手段
８  給紙手段
９  押圧部材
11  排紙手段
12  剥離ローラ
13  剥離ローラ
14  搬送部材
16  排版ボックス
17  マスタクランパ
18  変移手段
19  副剥離ローラ
【図１】
0003688016.tif 000002
【図２】
0003688016.tif 000003
【図３】
0003688016.tif 000004
【図４】
0003688016.tif 000005
【図５】
0003688016.tif 000006
【図６】
0003688016.tif 000007
【図７】
0003688016.tif 000008